(57)【要約】【課題】発光ダイオードで導光孔を明るくしたときに、輪郭のぼけを回避しつつ、均等に近い状態で明るくする。【解決手段】表裏を貫通する複数の導光孔２１がセグメントパターンで配置されて１組として構成された文字表示用孔部Ｂが形成されたパネル正面壁１１を有するパネル本体２と、パネル正面壁１１の裏面側に配設されて、対応する各導光孔２１における裏面側の領域内にそれぞれ配置される複数の発光ダイオード３１がパネル正面壁１１との対向面３ａに実装された回路基板３と、パネル正面壁１１の正面側に文字表示用孔部Ｂの第１領域ＡＲ１を覆って配置されると共に、発光ダイオード３１から出射されて導光孔２１を介してパネル正面壁１１の正面に導かれた光を拡散させつつ透過させる拡散シート４とを有し、パネル本体２は、導光孔２１の内面の色が高明度色で、第１領域ＡＲ１の色が低明度色である。【選択図】図４
2016061812.tif 000002
【特許請求の範囲】
【請求項１】
表裏を貫通する複数の導光孔がセグメントパターンで配置されて１組として構成された文字表示用孔部が形成されたパネル正面壁を有するパネル本体と、
前記パネル正面壁の裏面側に配設されると共に、対応する前記各導光孔における裏面側の領域内にそれぞれ配置される複数の発光ダイオードが前記パネル正面壁との対向面に実装された回路基板と、
前記パネル正面壁の正面側に当該正面における前記文字表示用孔部の形成領域を覆って配置されると共に、前記発光ダイオードから出射されて前記導光孔を介して当該パネル正面壁の当該正面に導かれた光を拡散させつつ透過させる拡散シートとを有する発光ダイオード表示ユニットであって、
前記パネル本体は、前記導光孔の内面の色が高明度色であり、前記形成領域の色が低明度色である発光ダイオード表示ユニット。
【請求項２】
前記パネル本体は、高明度色の材料で形成されると共に、前記形成領域は低明度色に着色されている請求項１記載の発光ダイオード表示ユニット。
【請求項３】
前記拡散シートは、前記パネル正面壁の前記正面における前記形成領域よりも広い領域を覆って配置されると共に、当該形成領域以外を覆う部分が印刷の施される印刷部として構成されている請求項１または２記載の発光ダイオード表示ユニット。
【発明の詳細な説明】
【技術分野】
【０００１】
本発明は、表裏を貫通する複数の導光孔がセグメントパターンで配置されて１組として構成された文字表示用孔部が形成されたパネル正面壁を有するパネル本体と、パネル正面壁の裏面側に配設されると共に、対応する各導光孔における裏面側の領域内にそれぞれ配置される複数の発光ダイオードがパネル正面壁との対向面に実装された回路基板と、パネル正面壁の正面側に文字表示用孔部の形成領域を覆って配設された光拡散用の拡散シートとを有する発光ダイオード表示ユニットに関するものである。
【背景技術】
【０００２】
この種の発光ダイオード表示ユニットとして、下記の特許文献１に開示された発光ダイオード表示ユニット（セグメント表示装置）が知られている。この発光ダイオード表示ユニットは、セグメントパターンに応じて配設されてセグメント情報に応じて発光駆動される複数の発光ダイオードが取り付けられた基板と、基板上に載置され、表面が基板に対して所定の角度を有すると共にセグメントパターンに応じた複数のセグメント孔が穿設され、内部に複数の発光ダイオードを覆うと共に対応する複数のセグメント孔に貫通する複数の導光孔が穿設された傾斜ガイド部と、傾斜ガイド部の表面上を覆う拡散シートとを備えている。この場合、傾斜ガイド部は、樹脂モールドの一体成形で形成されている。
【０００３】
この発光ダイオード表示ユニットによれば、セグメントパターンで基板上に配置された複数の発光ダイオードから出射された光を、傾斜ガイド部の導光孔およびセグメント孔を通して、セグメント孔に応じた形状で拡散シートの裏面側に照射するようにしたことにより、簡易な構成で基板に対して所定の角度を有する拡散シートの表面側にセグメント情報を表示することが可能になっている。
【先行技術文献】
【特許文献】
【０００４】
【特許文献１】実開平４−２４７８５号公報（第４−９頁、第１−２図）
【発明の概要】
【発明が解決しようとする課題】
【０００５】
ところが、上記の発光ダイオード表示ユニットには、以下のような解決すべき課題が存在している。すなわち、この発光ダイオード表示ユニットでは、導光孔が穿設された傾斜ガイド部は樹脂モールドの一体成形で形成されているため、導光孔の内面および傾斜ガイド部の表面は共に同じ樹脂色になる（同色になる）。したがって、この発光ダイオード表示ユニットには、傾斜ガイド部を高明度色（白色系や淡い灰色（ライトグレイ）系の色）の樹脂で形成したときには、傾斜ガイド部の表面における導光孔（上記の発光ダイオード表示ユニットではセグメント孔）の口縁部分が拡散シートで拡散された光によって照らされたときに、この口縁部分が拡散シートを介して明確に視認し得る状態になり、発光する発光ダイオードによって明るくなっている導光孔（つまり、発光するセグメント）の輪郭がぼけた状態（コントラストがはっきりしない状態）になるという課題が生じる。
【０００６】
一方、この発光ダイオード表示ユニットには、傾斜ガイド部を低明度色（黒色系や濃い灰色（ダークグレイ）系の色）の樹脂で形成したときには、導光孔の輪郭がぼやけた状態になるという上記の課題は生じないものの、発光ダイオードから出射された光の導光孔内での反射が少なくなる結果、拡散シートの存在下であっても、導光孔内において発光ダイオードの存在する部位が他の部位よりも際だって明るくなる（導光孔全体を均等に近い状態で明るくすることができない）という課題が生じる。
【０００７】
本発明は、かかる課題を解決するためになされたものであり、導光孔を明るくしたときに、輪郭のぼけを回避しつつ、均等に近い状態で明るくし得る発光ダイオード表示ユニットを提供することを主目的とする。
【課題を解決するための手段】
【０００８】
上記目的を達成すべく請求項１記載の発光ダイオード表示ユニットは、表裏を貫通する複数の導光孔がセグメントパターンで配置されて１組として構成された文字表示用孔部が形成されたパネル正面壁を有するパネル本体と、前記パネル正面壁の裏面側に配設されると共に、対応する前記各導光孔における裏面側の領域内にそれぞれ配置される複数の発光ダイオードが前記パネル正面壁との対向面に実装された回路基板と、前記パネル正面壁の正面側に当該正面における前記文字表示用孔部の形成領域を覆って配置されると共に、前記発光ダイオードから出射されて前記導光孔を介して当該パネル正面壁の当該正面に導かれた光を拡散させつつ透過させる拡散シートとを有する発光ダイオード表示ユニットであって、前記パネル本体は、前記導光孔の内面の色が高明度色であり、前記形成領域の色が低明度色である。
【０００９】
請求項２記載の発光ダイオード表示ユニットは、請求項１記載の発光ダイオード表示ユニットにおいて、前記パネル本体は、高明度色の材料で形成されると共に、前記形成領域は低明度色に着色されている。
【００１０】
請求項３記載の発光ダイオード表示ユニットは、請求項１または２記載の発光ダイオード表示ユニットにおいて、前記拡散シートは、前記パネル正面壁の前記正面における前記形成領域よりも広い領域を覆って配置されると共に、当該形成領域以外を覆う部分が印刷の施される印刷部として構成されている。
【発明の効果】
【００１１】
請求項１記載の発光ダイオード表示ユニットによれば、文字表示用孔部を構成する導光孔におけるパネル正面壁の裏面側の領域内に配置された発光ダイオードが発光したときに、導光孔は、この発光ダイオードから出射される光を、高明度色の内面で良好に反射させることで光量の減衰を最小限に抑えつつ全域に拡散反射（乱反射）させながら、パネル正面壁の正面側に効率よく導いて、パネル正面壁の正面に装着された拡散シートにおける導光孔から臨む部位の全域にほぼ均等に照射させることができる。また、この発光ダイオード表示ユニットによれば、パネル正面壁の正面のうちの文字表示用孔部の形成領域内の部位が低明度色であるため、パネル正面壁の正面側に導かれた発光ダイオードの光によって導光孔が明るく光っている状態において、導光孔から出射された光で導光孔の口縁部分が照らされた（導光孔を明るくした）としても、この口縁部分が明度の高い色で発色しないようにすることができる。したがって、この発光ダイオード表示ユニットによれば、文字表示用孔部を構成する導光孔に対応する発光ダイオードを選択的に発光させることで、文字情報を文字表示用孔部に表示させた際に、明るく光る導光孔の輪郭がぼけにくいため、文字表示用孔部に表示させた文字情報の視認性を十分に高めることができる。
【００１２】
また、請求項２記載の発光ダイオード表示ユニットによれば、高明度色の材料で形成されたパネル本体を構成するパネル正面壁の正面における形成領域内の部位を低明度色に塗装するという簡易な作業（低明度色の材料で形成されたパネル正面壁に形成されたすべての導光孔の内面を高明度色に塗装するという作業と比べて極めて簡易な作業）で、各文字表示用孔部の形成領域内の部位が低明度色で、かつパネル正面壁に形成されたすべての導光孔の内面が高明度色のパネル本体を製造できるため、発光ダイオード表示ユニットの製造コストを大幅に低減することができる。
【００１３】
また、請求項３記載の発光ダイオード表示ユニットによれば、拡散シートの形成領域以外を覆う部分を印刷部として構成したことにより、拡散シートを形成領域とほぼ同じ大きさとし、かつ印刷を施すシートを拡散シートとは別体に形成する構成と比較して、パネル正面壁に配置するシートの数を１つに削減できることから、製造コストを低減することができる。
【図面の簡単な説明】
【００１４】
【図１】発光ダイオード表示ユニット１の分解斜視図である。
【図２】パネル本体２の正面図である。
【図３】発光ダイオード表示ユニット１の一部分を拡大した分解斜視図である。
【図４】図３においてパネル本体２に回路基板３および拡散シート４を装着した状態での文字表示用孔部Ｂの断面を図３に示す矢印Ｘ方向から見た拡大図である。
【発明を実施するための形態】
【００１５】
以下、発光ダイオード表示ユニットの実施の形態について、添付図面を参照して説明する。
【００１６】
最初に、発光ダイオード表示ユニットの構成について、図面を参照して説明する。
【００１７】
図１に示す発光ダイオード表示ユニットとしての発光ダイオード表示ユニット１（以下、単に「表示ユニット１」ともいう）は、一例として、パネル本体２、回路基板３および拡散シート４を備え、一例として、不図示の測定装置のフロントパネルを構成する。
【００１８】
パネル本体２は、高明度色（白色系や淡い灰色（ライトグレイ）系の色。明度が７．５〜９．５程度の色）の材料で構成されている（本例では一例として合成樹脂を用いて一体成形されて構成されている）。なお、パネル本体２を構成する材料は、高明度色のものであれば、合成樹脂に限定されず、金属、ゴム、ガラス、木材、鉱物その他の材料を使用することができる。また、パネル本体２は、一例として図１〜図４に示すように、正面視方形（長方形や正方形）に形成されたパネル正面壁１１、およびパネル正面壁１１の外縁部からパネル正面壁１１の裏面側に向けて立設された周壁１２を備えている。
【００１９】
パネル正面壁１１には、図１〜図３に示すように、複数の導光孔２１および複数の押圧片２２が形成されている。この場合、各導光孔２１は、回路基板３のパネル正面壁１１との対向面３ａに実装された後述の発光ダイオード３１のうちの対応する発光ダイオード３１と対向する部位に形成されている。また、各押圧片２２は、回路基板３に実装された後述のスイッチ３２のうちの対応するスイッチ３２と対向する部位に形成されている。
【００２０】
導光孔２１について具体的に説明すると、図２，３に示すように、複数の導光孔２１のうちの第１領域ＡＲ１（破線で示される領域）に形成された導光孔２１は、複数個（この例では７個）ずつ１組となってセグメントパターン（この例では７セグメントパターン）に配置されることで、文字表示用孔部Ｂを構成している。また、第１領域ＡＲ１（文字表示用孔部Ｂの形成領域）以外の領域に形成された導光孔２１は、平面視方形に形成されて、拡散シート４に表示（印刷）された複数の文字や記号や図形（以下、「文字等」ともいう）のうちの対応する文字等の位置に対応して配置されている。
【００２１】
また、文字表示用孔部Ｂを構成する導光孔２１を例に挙げて説明すると、すべての導光孔２１は、図３，４に示すように、パネル正面壁１１における裏面側が肉厚に形成された部位Ｃに、この部位Ｃの表裏を貫通する状態でパネル正面壁１１と直交する方向に沿って形成されている。図４に示すように、パネル正面壁１１の裏面に回路基板３が装着された状態では、各導光孔２１におけるこの裏面側の領域内に、対応する発光ダイオード３１が配置される。この構成により、各導光孔２１は、対応する発光ダイオード３１から出射される光を、直接的に、また内面で導光孔２１の全域に拡散反射（乱反射）させることにより、パネル正面壁１１の裏面側から正面側に効率よく導いて、パネル正面壁１１の正面に装着された拡散シート４における導光孔２１から臨む部位の全域にほぼ均等に照射する。
【００２２】
また、少なくともパネル正面壁１１の正面のうちの各文字表示用孔部Ｂが形成された第１領域ＡＲ１内の部位の色は、低明度色（黒色系や濃い灰色（ダークグレイ）系の色。明度が１．５〜３．５程度の色）である。本例では一例として、パネル正面壁１１の正面における第１領域ＡＲ１内の部位に低明度色の塗料が塗布（第１領域ＡＲ１内の部位が低明度色に塗装）されることで、この第１領域ＡＲ１内の部位が低明度色に着色されている。
【００２３】
この構成により、パネル正面壁１１の正面における各文字表示用孔部Ｂを構成する導光孔２１の口縁部分も低明度色になっている。このため、発光ダイオード３１の光によって導光孔２１が明るく光っている状態において、導光孔２１から出射された光で導光孔２１の口縁部分が照らされたとしても、この口縁部分が明度の高い色で発色することが回避されることから、高い明度で光る部分の正面視形状は、ほぼ導光孔２１の正面視形状になっている。
【００２４】
したがって、文字表示用孔部Ｂを構成する導光孔２１に対応する発光ダイオード３１が選択的に発光させられて、明るく光る導光孔２１によって「０」，「１」，・・・，「８」，「９」の数字や、「Ａ」，「ｂ」，「ｃ」，「ｄ」，・・・等のアルファベットなどの文字情報を文字表示用孔部Ｂに表示させた際に、明るく光る導光孔２１の輪郭がぼけることを回避することが可能になっている。
【００２５】
また、本例では、パネル正面壁１１の正面のうちの第１領域ＡＲ１以外の部位は、第１領域ＡＲ１とは異なり、低明度色ではなく、パネル本体２を構成する合成樹脂材の色（樹脂色）、すなわち、高明度色になっている。これにより、第１領域ＡＲ１以外の部位に形成されている導光孔２１の口縁部分も高明度色になる。このため、発光ダイオード３１の光によってこの導光孔２１が明るく光っている状態において、導光孔２１から出射された光で導光孔２１の口縁部分が照らされた場合に、この口縁部分は明度の高い色で発色することから、高い明度で光る部分の正面視形状は、導光孔２１の正面視形状よりも若干大きくなっている。
【００２６】
しかしながら、第１領域ＡＲ１以外の部位に形成されている導光孔２１は、パネル正面壁１１の正面側に導いた発光ダイオード３１の光で、拡散シート４に表示（印刷）されている後述の「ＤＣ」，「ＡＣ」などの文字などを背面側から照明するためのものであるため、導光孔２１から出射された光で導光孔２１の口縁部分が照らされて明度の高い色で発色しても問題はない。
【００２７】
回路基板３は、図１，３，４に示すように、パネル正面壁１１の裏面側に配設されると共に、そのパネル正面壁１１との対向面３ａには、複数の導光孔２１のうちの対応する導光孔２１における裏面側の領域内に配置される発光ダイオード３１が、導光孔２１に対応する位置に複数実装されて構成されている。また、回路基板３には、パネル正面壁１１に形成された複数の押圧片２２に対応して複数のスイッチ３２も実装されている。
【００２８】
拡散シート４は、裏面側に照射された光を拡散させつつ正面側に透過させる機能を備え、図１，３，４に示すように、パネル正面壁１１の正面側に配設されている。なお、拡散シート４を構成する材料は、上記の機能を有するものであれば、合成樹脂、ガラスおよびその他の材料を使用することができるが、本例では一例として、製造の容易さや、パネル本体２への取付け時の作業性を考慮して、拡散シート４は、合成樹脂を用いて可撓性を有するシート体に構成されている。
【００２９】
また、拡散シート４は、一例として中明度色（ミディアムグレイ系の色。明度が４．０〜７．０程度の色）に着色されて、パネル正面壁１１の各文字表示用孔部Ｂが形成された第１領域ＡＲ１に対応する領域Ｄ（文字表示領域Ｄ。図１，３中において実線で囲まれた長方形領域）が無地（文字等が表示されていない状態）に形成されている。また、拡散シート４における文字表示領域Ｄ以外の領域については、図３に示すように、パネル正面壁１１における導光孔２１が形成された位置に対応して、この導光孔２１から出射される光で背面側から照明されて発光する「ＤＣ」，「ＡＣ」などの文字などが印刷される共に、押圧片２２が形成された位置に対応してスイッチの存在を示すマーク（同図では多重の円で構成されたマーク）やこのスイッチの機能を示す文字が印刷される印刷部として構成されて、これらの文字などが印刷されることによって表示されている。
【００３０】
この表示ユニット１では、上記したように、パネル正面壁１１の正面のうちの各文字表示用孔部Ｂが形成された第１領域ＡＲ１内の部位の色が低明度色であり、かつ各文字表示用孔部Ｂを構成する導光孔２１を含むパネル正面壁１１に形成されたすべての導光孔２１の内面の色は高明度色（本例ではパネル本体２を構成する樹脂色と同色）である。
【００３１】
したがって、この表示ユニット１によれば、文字表示用孔部Ｂを構成する導光孔２１におけるパネル正面壁１１の裏面側の領域内に配置された発光ダイオード３１が発光したときに、導光孔２１は、この発光ダイオード３１から出射される光を、高明度色の内面で良好に反射させることで光量の減衰を最小限に抑えつつ全域に拡散反射（乱反射）させながら、パネル正面壁１１の正面側に効率よく導いて、パネル正面壁１１の正面に装着された拡散シート４における導光孔２１から臨む部位の全域にほぼ均等に照射させることができる。また、この表示ユニット１によれば、パネル正面壁１１の正面のうちの各文字表示用孔部Ｂが形成された第１領域ＡＲ１内の部位が低明度色であるため、パネル正面壁１１の正面側に導かれた発光ダイオード３１の光によって導光孔２１が明るく光っている状態において、導光孔２１から出射された光で導光孔２１の口縁部分が照らされた（導光孔２１を明るくした）としても、この口縁部分が明度の高い色で発色しないようにすることができる。したがって、この表示ユニット１によれば、文字表示用孔部Ｂを構成する導光孔２１に対応する発光ダイオード３１を選択的に発光させることで、文字情報を文字表示用孔部Ｂに表示させた際に、明るく光る導光孔２１の輪郭がぼけにくいため、文字表示用孔部Ｂに表示させた文字情報の視認性を十分に高めることができる。
【００３２】
また、上記したように、パネル正面壁１１の正面における各文字表示用孔部Ｂが形成された第１領域ＡＲ１内の部位の色を低明度色とし、かつパネル正面壁１１に形成されたすべての導光孔２１の内面の色を高明度色とするためには、パネル正面壁１１の正面における第１領域ＡＲ１内の部位を低明度色に塗装すると共に、すべての導光孔２１の内面を高明度色に塗装するという方法や、パネル本体２を低明度色の材料で形成することで第１領域ＡＲ１を含むパネル正面壁１１の正面全体を低明度色とし、かつすべての導光孔２１の内面を高明度色に塗装するという方法を実施してもよいが、この２つの方法では、複数の導光孔２１の内面を高明度色に塗装するという手間のかかる作業が必要になり、製造コストが上昇する。
【００３３】
しかしながら、上記した表示ユニット１によれば、高明度色の材料（本例では合成樹脂）で形成されたパネル本体２を構成するパネル正面壁１１の正面における第１領域ＡＲ１内の部位を低明度色に着色する（塗装する）という簡易な作業で、各文字表示用孔部Ｂが形成された第１領域ＡＲ１内の部位を低明度色とし、かつパネル正面壁１１に形成されたすべての導光孔２１の内面を高明度色とすることができるため、表示ユニット１の製造コストを大幅に低減することができる。
【００３４】
また、上記した表示ユニット１によれば、拡散シート４を、第１領域ＡＲ１よりも広い領域（上記の例ではパネル正面壁１１の正面のほぼ全域）を覆ってパネル正面壁１１の正面に配置される構成とし、上記したように第１領域ＡＲ１以外を覆う部分を文字などが印刷される（印刷の施される）印刷部として構成したことにより、拡散シート４を第１領域ＡＲ１とほぼ同じ大きさとし、かつ印刷を施すシートを拡散シート４とは別体に形成する構成と比較して、パネル正面壁１１に配置するシートの数を１つに削減できることから、製造コストを低減することができる。
【００３５】
なお、上記の表示ユニット１では、パネル正面壁１１の正面における第１領域ＡＲ１内の部位のみを低明度の色に着色する構成を採用しているが、パネル正面壁１１の正面における拡散シート４が装着される全領域を低明度の色に着色する構成を採用することもできる。また、上記の表示ユニット１では、パネル正面壁１１の正面における文字表示用孔部Ｂが形成された第１領域ＡＲ１全体を低明度の色に着色する構成を採用しているが、例えば、パネル正面壁１１の正面における導光孔２１から出射された光で照らされる導光孔２１の口縁部分のみを低明度の色に着色し、第１領域ＡＲ１内の他の領域（導光孔２１から出射された光で照らされない領域）については目立ちにくい色（中明度の色）に着色する構成を採用することもできる。
【００３６】
また、上記の表示ユニット１では、パネル正面壁１１に文字表示用孔部Ｂを構成する導光孔２１以外の導光孔２１が形成されているが、文字表示用孔部Ｂを構成する導光孔２１のみが形成されている構成であってもよいのは勿論である。また、この構成では、拡散シート４は、文字表示用孔部Ｂを構成する導光孔２１が形成されている第１領域ＡＲ１のみを覆うように配置することもできる。また、上記の例では、第１領域ＡＲ１内に複数の文字表示用孔部Ｂが形成される構成を採用しているが、１つだけ形成される構成であってもよい。また、表示ユニット１が測定装置のフロントパネルを構成する例を挙げて説明したが、表示ユニット１は測定装置に限定されず、他の電子機器に適用してもよいのは勿論である。
【符号の説明】
【００３７】
１  発光ダイオード表示ユニット
２  パネル本体
３  回路基板
３ａ  対向面
４  拡散シート
１１  パネル正面壁
２１  導光孔
３１  発光ダイオード
ＡＲ１  第１領域
Ｂ  文字表示用孔部
【図１】
2016061812.tif 000003
【図２】
2016061812.tif 000004
【図３】
2016061812.tif 000005
【図４】
2016061812.tif 000006